(57)【要約】【課題】特別な操作を要することなく、２種類の記憶媒体の両方が装填されないようにする。【解決手段】ＰＣカード用スロット１３とメモリカード用スロット１５との間に、Ｌ字形をした邪魔板２５が回転自在に配置されている。ＰＣカード用スロット１３にＰＣカード１２を挿入するとアーム２５ａが押される。邪魔板２５は時計方向に回転するから、アーム２５ｂがメモリカード用スロット１５内に入り込み、メモリカード１４の装填を禁止する。メモリカード１４をメモリカード用スロット１５内に挿入すると、邪魔板２５のアーム２５ａがＰＣカード用スロット１３内に入り込み、ＰＣカード１２の装填を禁止する。【選択図】　　　　図２
2004005039.tif 000002
【特許請求の範囲】
【請求項１】
第１の記憶媒体が装填される第１のスロットと、第２の記憶媒体が装填される第２のスロットを備えた電子機器において、
前記第１の記憶媒体を第１のスロットに装填するときに、第１の記憶媒体の一部によって第１スロットから押し出されて第２スロット内に入り込み、第２の記憶媒体を第２スロットに装填するときに、第２の記憶媒体の一部によって第２のスロットから押し出されて第１スロット内に入り込むようにした阻止手段を設け、第１と第２の記憶媒体の一方のみを装填可能にしたことを特徴とする記憶媒体誤装填防止装置。
【請求項２】
前記阻止手段は、第１のスロットに挿入可能な第１のアームと、第２のスロットに挿入可能な第２のアームとを備え、前記第１及び第２の記憶媒体の装填方向と垂直な方向に揺動するＬ字形をした邪魔板であることを特徴とする請求項１記載の記憶媒体誤装填防止装置。
【発明の詳細な説明】
【０００１】
【発明の属する技術分野】
本発明は、プリンタやパソコン等の電子機器に用いられ、２種類の記憶媒体の両方が装填されるのを阻止する記憶媒体誤装填防止装置に関するものである。
【０００２】
【従来の技術】
最近のプリンタでは、各種の記憶媒体から画像データを取り込むことができるようにしたものが多い。例えば、メモリカード用スロット、ＰＣカード用スロットを設け、装填されたメモリカード（例えばスマートメディア）やＰＣカードから画像データを取り込んでプリントしたり、あるいはアルバムの形態に編集してからＣＤに書き込むようにしたものがある。
【０００３】
前記プリンタでは、スロットに記憶媒体を装填すると、制御回路（ＣＰＵ）が自動的に記憶媒体をアクセスして、画像データを取り込むようになっている。このために、メモリカード用スロット、ＰＣカード用スロットの両方にカードが装填されると、誤装填となって読み取りエラーが発生する、
【０００４】
誤装填を防止するために、従来のプリンタでは、メモリカード装填位置とＰＣカード装填位置とにスライド自在な切り換えレバーが設けられている。メモリカードを装填する場合は、切り換えレバーをメモリカード装填位置にセットすれば、切り換えレバーの第１端がメモリカード用スロットから退避するとともに、切り換えレバーの第２端がＰＣカード用スロット内に入り込む。これにより、メモリカードはメモリカード用スロットに挿入可能であるが、ＰＣカードは第２端によってＰＣカード用スロットには挿入することができない。また、切り換えレバーをＰＣカード装填位置にセットすれば、ＰＣカードがＰＣカード用スロットに挿入可能となるが、メモリカードは第１端によってメモリカード用スロットには挿入することができなくなる。
【０００５】
【発明が解決しようとする課題】
切り換えレバーによって記憶媒体の誤装填を防止する装置では、装填すべき記憶媒体の種類に応じて、切り換えレバーを操作しなければならないため、記憶媒体の装填が面倒であるという欠点があった。
【０００６】
本発明は、特別な操作をすることなく、２種類の記憶媒体の内の一方だけを装填可能とする電子機器の記憶媒体誤装填防止装置を提供することを目的とするものである。
【０００７】
【課題を解決するための手段】
上記目的を達成するために、本発明は、電子機器の第１のスロット又は第２スロットの一方に記憶媒体を装填するとき、例えば第１のスロットに第１の記憶媒体を装填するときに、この第１の記憶媒体によって第１スロットから押し出されて第２スロット内に入り込むことで第２の記憶媒体の装填を阻止し、また第２のスロットに第２の記憶媒体を装填するときに、その一部によって第２のスロットから押し出されて第１スロット内に入り込むことで第１の記憶媒体の装填を阻止する阻止手段を設けたものである。
【０００８】
前記阻止手段としては、第１のスロットに挿入可能な第１のアームと、第２のスロットに挿入可能な第２のアームとを備えたＬ字型の邪魔板が用いられ、この邪魔板は第１及び第２の記憶媒体の装填方向と垂直な軸に揺動自在に取り付けられている。
【０００９】
【発明の実施の形態】
図１において、プリンタ１０の前カバー１１に、ＰＣカード１２が装填されるＰＣカード用スロット１３と、メモリカード１４が装填されるメモリカード用スロット１５とが設けられている。このメモリカード１４としては、例えばスマートメディアが用いられ、デジタルカメラ１６で撮影された複数の画像データが書き込まれている。
【００１０】
また、前カバー１１に、ＣＤ−ＲＷドライブのトレイ１７が出し入れ自在に設けられている。このトレイ１７には、ＣＤ１８が装填される。トレイ１７の下方には、記録紙を収納した給紙カセット１９が着脱自在に装填される。また、ＰＣカード用スロット１３の横には、操作部２０、液晶表示パネル２１が設けられている。プリンタ１０には、家庭用ＴＶ等がモニタ２２として接続される。
【００１１】
プリンタ１０内には、周知のように、制御回路（ＣＰＵ）と、プリント部とが設けられている。ＰＣカード１２又はメモリカード１４を装填すると、制御回路は自動的にＰＣカード１２又はメモリカード１４をアクセスし、これらの記憶媒体に書き込まれている画像を取り込む。この取り込んだ画像は、モニタ２２にマトリクスに表示されている。
【００１２】
プリントをする場合は、モニタ２２を観察しながら、操作部２２を操作して、プリントすべき画像を選択する。次に、プリントを指示すれば、プリント部が作動し、給紙カセット１９から引き出した記録用紙に画像をプリントする。また、操作部２０を操作して、画像保存を指示すれば、制御回路はＣＤ−ＲＷドライブを作動させ、トレイ１７上のＣＤ１８に画像を整理して書き込む。更に、ＣＤ１８に蓄積された画像を読み出して、記録用紙にプリントすることもできる。
【００１３】
制御回路は、複数の記憶媒体がセットされると、読み取りエラーが発生するため、１つの記憶媒体だけを選択的に装填可能にするための誤装填防止装置がプリンタ１０に設けられている。この誤装填防止装置としては、図２及び図３に示すように、アーム２５ａ、２５ｂを有するＬ字形をした邪魔板２５と、この邪魔板２５を回転自在に支持する軸２６とから構成されている。この軸２６は、ＰＣカード１２及びメモリカード１４の挿入方向と垂直に延びており、ＰＣカード用スロット１３とメモリカード用スロット１５の間にある仕切り壁内に取り付けられている。また、カードの挿入初期で誤装填を阻止するには、邪魔板２５をスロットの入口付近に設けるのがよい。
【００１４】
邪魔板２５は、軸２６にフリーに取り付けられているので、アーム２５ａがＰＣカード用スロット１３内に入っていることもある。この場合に、ＰＣカード１２をＰＣカード用スロット１３内に挿入すると、その先端によってアーム２５ａが押されて、邪魔板２５が時計方向に回転する。邪魔板２５が回転すると、図２に示すように、他方のアーム２５ｂがメモリカード用スロット１５内に入り込む。このために、ＰＣカード１２が装填されているときは、メモリカード１４の装填が禁止される。
【００１５】
上記とは逆に、図３に示すように、メモリカード１４をメモリカード用スロット１５内に挿入すると、邪魔板２５のアーム２５ａがＰＣカード用スロット１３内に入り込む。これにより、メモリカード１４が装填されているときは、ＰＣカード１２の装填が禁止される。
【００１６】
図４に示すプリンタ３０は、ＰＣカード用スロット３１とメモリカード用スロット３２が水平に配置されている。この実施形態でも、図５に示すようにＰＣカード１２がＰＣカード用スロット３１に装填されているときは、邪魔板２５によってメモリカード１４の装填が禁止される。また、図６に示すように、メモリカード１４がメモリカード用スロット３１に装填されているときは、ＰＣカード１２の装填が禁止される。
【００１７】
上記実施形態では、邪魔板２５がフリーになっているが、邪魔板２５を付勢するバネを設け、例えばアーム２５ａがＰＣカード用スロットに常時入り込むようにしてもよい。また、アーム２５ａ、２５ｂに、各スロットの入口と同じサイズの板を取り付けることで、各スロットの入口を閉鎖することもできる。
【００１８】
また、記憶媒体として、ＰＣカードとメモリカードを例にしたが、フレキシブルディスクとＰＣカードの組み合わせ、メモリカードとメモリステックとの組み合わせ等でもよい。さらに、本発明は、プリンタに限らず、電子アルバム作成装置や、パソコン等の電子機器に利用することができる。
【００１９】
【発明の効果】
本発明によれば、２種類の記憶媒体のうち、一方の記憶媒体の装填に連動して、他方の記憶媒体の装填を禁止するようにしたから、従来のように装填すべき記憶媒体の種類に応じて切り換えレバーを操作することが不要となる。したがって、特別な操作をすることなく、２種類の記憶媒体が電子機器に装填されるのを防ぐことができる。
【図面の簡単な説明】
【図１】本発明を実施したプリンタを示す斜視図である。
【図２】ＰＣカードの装填状態を示す断面図である。
【図３】メモリカードの装填状態を示す断面図である。
【図４】ＰＣカード用スロットとメモリカード用スロットとを水平に配置したプリンタを示す斜視図である。
【図５】図４に示すプリンタにおけるＰＣカードの装填状態を示す断面図である。
【図６】図４に示すプリンタにおけるメモリカードの装填状態を示す断面図である。
【符号の説明】
１２　ＰＣカード
１３、３１　ＰＣカード用スロット
１４　メモリカード
１５、３２　メモリカード用スロット
【図１】
2004005039.tif 000003
【図２】
2004005039.tif 000004
【図３】
2004005039.tif 000005
【図４】
2004005039.tif 000006
【図５】
2004005039.tif 000007
【図６】
2004005039.tif 000008